(57)【特許請求の範囲】
【請求項１】
原水中の水に不溶な沈殿を大きく成長させ処理水を得るための滞留部と、前記滞留部の下流に接続され、かつ、前記処理水から沈殿を分離して浄化水を得るための流速調整部を少なくとも有する水処理装置であって、
前記滞留部が、原水の流入手段を備え、
前記滞留部が、前記沈殿が堆積した層内に到達する位置に攪拌手段を備え、
前記流速調整部が、沈殿の除去手段と、前記流速調整部の入口とは別に配置された前記流速調整部の出口として前記浄化水の排出手段を備え、
前記流速調整部の入口を通過する前記処理水の流速が、前記流速調整部の出口を通過する前記浄化水の流速よりも速く、
前記流速調整部の入口の流路断面積が、前記流速調整部の出口の流路断面積の８０％以下であり、
前記流速調整部の入口の流路の幅が５０〜１００００ｍｍである水処理装置。
【請求項２】
前記流速調整部の入口を通過する前記処理水の流速が、前記流速調整部の出口を通過する前記浄化水の流速よりも２．４倍以上速い請求項１に記載の水処理装置。
【請求項３】
前記流速調整部の流路断面積が、前記流速調整部の入口から出口に近づくにつれて大きくなる請求項１または２に記載の水処理装置。
【請求項４】
滞留部で原水中の水に不溶な沈殿を大きく成長させ処理水を得る工程と、
前記滞留部の下流に接続された流速調整部で前記処理水から沈殿を分離して浄化水および沈殿を得る工程と、を含む水処理方法であって、
前記滞留部で、前記沈殿が堆積した層内に到達する位置にある攪拌手段により攪拌し、
前記流速調整部で前記沈殿を除去し、
前記流速調整部の入口とは別に配置された前記流速調整部の出口から浄化水を排出し、
前記流速調整部の入口を通過する前記処理水の流速を、前記流速調整部の出口を通過する前記浄化水の流速よりも速くし、
前記流速調整部の入口の流路断面積が、前記流速調整部の出口の流路断面積の８０％以下であり、
前記流速調整部の入口の流路の幅が５０〜１００００ｍｍである水処理方法。
【発明の詳細な説明】
【技術分野】
【０００１】
本発明は、水処理装置および水処理方法に関する。具体的には、本発明は、沈殿の除去と浄化水の排出を一つの装置内で実現でき、かつ、原水中の水に不溶な沈殿（以下、懸濁物とも言う）を効率よく除去することができる水処理装置および水処理方法に関する。
【背景技術】
【０００２】
水資源を守るために、上水、排水、廃水、汚水などの様々な水から不純物成分を除去し、浄化水を得る水処理が求められている。
【０００３】
水処理方法としては、従来、各種の処理槽を組み合わせて用いる方法が知られている（例えば特許文献１および２参照）。処理槽として、微生物により排水中の有機物を分解除去する生物処理槽、不純物除去剤などを添加して不純物を除去しやすくする物理化学処理槽、不純物の凝集によって生成する凝集物（以下、フロックともいう）を沈殿させて取り除く凝集沈殿槽などがある。
【０００４】
特許文献１には、微生物により排水中の有機物を分解除去する生物処理部と、生物処理部の下流側に設けられ、排水中から塩を生成するイオン分を除去する脱塩部とを含む排水処理装置が記載されている。特許文献１の廃水処理装置は、さらに生物処理部の上流側に、排水中からフッ素イオンを除去して排水中のフッ素イオンの濃度を低減させるフッ素濃度低減部を備える。特許文献１によればこのような構成により、排水中のフッ素イオン濃度が低減されるので、脱塩部でのスケール発生を抑制することができ、脱塩部での水の回収率を高めることが可能となることが記載されている。
【０００５】
特許文献２には、重金属を含有する廃水中に酸化剤を添加するための第１の反応槽と、アルカリを添加して重金属の水酸化物を析出させるとともに凝結剤を添加し、水酸化物を含むフロックを形成するための第２の反応槽を備える水処理装置が記載されている。特許文献２の廃水処理装置は、さらにフロックを含む廃水を導入して、廃水中に高分子凝集剤を添加してフロックを含む凝集物を生成させるための凝集槽と、凝集物を含む廃水を導入して、凝集物を沈殿除去するための沈殿槽を備える。特許文献２の廃水処理装置は、沈殿槽中の上澄み液をろ過槽内に導入して、当該上澄み液中に残存する凝集物を除去するためのろ過槽と、上澄み液を導入して、上澄み液中に残存する重金属を除去するための吸着槽を備える。特許文献２によればこのような構成により、重金属含有廃水から重金属を低コストで効率的かつ効果的に除去し、当該廃水から重金属を除去した後の処理水を、低コストで効率的かつ効果的回収することが記載されている。
【先行技術文献】
【特許文献】
【０００６】
【特許文献１】特開２０１３−１３８９７７号公報
【特許文献２】特開２０１５−０４７５３４号公報
【発明の概要】
【発明が解決しようとする課題】
【０００７】
しかしながら、これらの文献に記載された各種の処理槽と凝集沈殿槽を組み合わせて用いる水処理方法は、各種の処理槽と凝集沈殿槽を組み合わせて用いるため、装置の設置コスト。また、これらの文献に記載された水処理方法は、原水中の水に不溶な沈殿を効率よく除去する観点からは不満が残るものであり、より効率的な水処理方法を行うことができる水処理装置が求められていた。
【０００８】
本発明が解決しようとする課題は、沈殿の除去と浄化水の排出を一つの装置内で実現でき、かつ、原水中の水に不溶な沈殿を効率よく除去することができる水処理装置および水処理方法を提供することである。
【課題を解決するための手段】
【０００９】
上記の課題を解決するために鋭意検討を行い、本発明者らは、滞留部と流速調整部を一つの装置内に設け、流速調整部の入口を通過する処理水の流速が、流速調整部の出口を通過する浄化水の流速よりも速くなるようにした。その結果、沈殿の除去と浄化水の排出を一つの装置内で実現でき、かつ、原水中の水に不溶な沈殿を効率よく除去することができることを見出した。
上記課題を解決するための具体的な手段である本発明の構成と、本発明の好ましい構成を以下に記載する。
【００１０】
［１］  原水中の水に不溶な沈殿を大きく成長させ処理水を得るための滞留部と、滞留部の下流に接続され、かつ、処理水から沈殿を分離して浄化水を得るための流速調整部を少なくとも有する水処理装置であって、
滞留部が、原水の流入手段を備え、
流速調整部が、沈殿の除去手段と、流速調整部の入口とは別に配置された流速調整部の出口として浄化水の排出手段を備え、
流速調整部の入口を通過する処理水の流速が、流速調整部の出口を通過する浄化水の流速よりも速い水処理装置。
［２］  ［１］に記載の水処理装置は、流速調整部の入口の流路断面積が、流速調整部の出口の流路断面積よりも小さいことが好ましい。
［３］  ［２］に記載の水処理装置は、流速調整部の入口の流路断面積が、流速調整部の出口の流路断面積の８０％以下であることが好ましい。
［４］  ［１］〜［３］のいずれか一つに記載の水処理装置は、流速調整部の入口の流路の幅が、５０〜１００００ｍｍであることが好ましい。
［５］  ［１］〜［４］のいずれか一つに記載の水処理装置は、流速調整部の流路断面積が、流速調整部の入口から出口に近づくにつれて大きくなることが好ましい。
［６］  滞留部で原水中の水に不溶な沈殿を大きく成長させ処理水を得る工程と、
滞留部の下流に接続された流速調整部で処理水から沈殿を分離して浄化水および沈殿を得る工程と、を含む水処理方法であって、
流速調整部で沈殿を除去し、
流速調整部の入口とは別に配置された流速調整部の出口から浄化水を排出し、
流速調整部の入口を通過する処理水の流速を、流速調整部の出口を通過する浄化水の流速よりも速くする水処理方法。
【発明の効果】
【００１１】
本発明によれば、沈殿の除去と浄化水の排出を一つの装置内で実現でき、かつ、原水中の水に不溶な沈殿を効率よく除去することができる水処理装置および水処理方法を提供できる。
【図面の簡単な説明】
【００１２】
【図１】図１は、本発明の水処理装置の一例を示す概略図である。
【図２】図２は、本発明の水処理装置の一例の断面を示す概略図である。
【図３】図３は、本発明の水処理装置とその他の槽との組み合わせの一例を示すフロー図である。
【図４】図４は、本発明の水処理装置の他の一例の断面を示す概略図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１４】
［水処理装置］
本発明の水処理装置は、原水中の水に不溶な沈殿を大きく成長させ処理水を得るための滞留部と、滞留部の下流に接続され、かつ、処理水から沈殿を分離して浄化水を得るための流速調整部を少なくとも有する水処理装置であって、
滞留部が、原水の流入手段を備え、
流速調整部が、沈殿の除去手段と、流速調整部の入口とは別に配置された流速調整部の出口として浄化水の排出手段を備え、
流速調整部の入口を通過する処理水の流速が、流速調整部の出口を通過する浄化水の流速よりも速い水処理装置である。
このような構成の水処理装置により、沈殿の除去と浄化水の排出を一つの装置内で実現でき、かつ、原水中の水に不溶な沈殿を効率よく除去することができる。沈殿の除去と浄化水の排出を一つの装置内で実現できる水処理装置は、装置の設置コストを抑制できるために好ましい。また、原水中の水に不溶な沈殿を効率よく除去することができる水処理装置は、水処理の運用コストを抑制でき、放出排水の環境への影響を極力少なくできるために好ましい。
本発明の水処置装置は、水処理装置において処理水を滞留させる滞留部と、処理水の流速を調整する流速調整部とを有することで、沈殿の除去と浄化水の排出を一つの装置内で実現できる。このような沈殿の除去と浄化水の排出を一つの装置内で実現した水処理装置は従来知られていなかった。
本発明の水処置装置は、滞留部では原水中の水に不溶な沈殿を大きく成長させ処理水を得ることができる。滞留部では、大きく成長した水に不要な沈殿（好ましくは凝集された不純物）を含む処理水を連続的に流速調整部に送ることができる。
本発明の水処置装置は、流速調整部では流速調整部の入口を通過する処理水の流速が流速調整部の出口を通過する浄化水の流速よりも速いことで、流速が速い流速調整部の入口で処理水中の不純物の凝集を飛躍的に進めて大きなフロックを形成できる。また、流速が遅い流速調整部の出口での流速よりも沈降速度が大きくなるまでサイズが大きくなったフロックを沈殿として効率よく沈降させることができる。
以下、本発明の水処理装置の好ましい態様について説明する。
【００１５】
＜水処理装置の構成＞
図面をもとに本発明の水処理装置の構成の好ましい態様を説明する。図１は、本発明の水処理装置の一例を示す概略図である。図２は、本発明の水処理装置の一例の断面を示す概略図である。図４は、本発明の水処理装置の他の一例の断面を示す概略図である。なお、図１〜図４は説明のために用いる図面であり、本発明の水処理装置または水処理方法は図面によって限定されるものではない。
図１に示した水処理装置３の一例は、原水１１中の水に不溶な沈殿を大きく成長させ処理水１２を得るための滞留部１と、滞留部１の下流に接続され、かつ、処理水１２から沈殿を分離して浄化水１３を得るための流速調整部２を少なくとも有する。
図１に示した水処理装置３の一例は、滞留部１が、原水の流入手段４を備える。
図１に示した水処理装置３の一例は、流速調整部２が、沈殿の除去手段５と、流速調整部の入口とは別に配置された流速調整部の出口として浄化水の排出手段７を備える。
本発明の水処理装置では、流速調整部は、滞留部の下流に接続される。水処理装置３は、滞留部１の出口よりも流速調整部の入口６を下方または同じ高さに配置することが好ましい。このような構成により、水に不溶な沈殿をフロックとして含む処理水を効率的に流速調整部に流入させ、原水中の水に不溶な沈殿を効率よく除去できる。一方、図面には示していないが、滞留部１の出口よりも流速調整部の入口を上方に配置してもよく、原水中の水に不溶な沈殿の除去の効率性よりも滞留部に凝集剤を循環させる必要性が重視される場合は好ましい。
図１に示した本発明の水処理装置３の一例では、流速調整部の入口を通過する処理水１２の流速が、流速調整部の出口を通過する浄化水１３の流速よりも速い。
【００１６】
（滞留部）
滞留部では、原水中の水に不溶な沈殿を大きく成長させ処理水を得る。滞留部の内部では水に不溶な沈殿はフロックとして原水中に存在し、滞留部の内部でフロックを大きく成長させることが好ましい。滞留部で大きく成長させた水に不溶な沈殿の寸法は、特に制限されることはないが、平均円相当直径で１００〜１００００μｍであることが好ましく、１０００〜５０００μｍであることがより好ましい。滞留部で大きく成長させた水に不溶な沈殿の寸法は、顕微鏡で観察した１０個の水に不溶な沈殿の寸法の平均値を採用することができる。なお、滞留部に流入する前の原水中に含まれる水に不要な沈殿の１個ずつの寸法や平均値は特に制限は無いが、例えば１個ずつの寸法が円相当直径で１〜１０００μｍであることが好ましく、平均円相当直径で１〜１００μｍであることが好ましい。
フロックを大きく成長させる方法として、フロックどうしの衝突機会を多くする方法が好ましい。フロックどうしの衝突機会を多くする方法として、例えば、滞留部出口以外で原水の流速を速くすることが好ましい。重力によって原水の対流を効率化させる観点から滞留部の上部で原水の流速を速くすることがより好ましい。滞留部の半分よりも上部における処理水の流速を滞留部の半分よりも下部の処理水の流速よりも遅くすることが特に好ましい。
滞留部では、原水中の水に不溶な沈殿を大きく成長させた結果として、不純物を凝集させてもよい。
また、原水に凝集剤を投入するタイミングによっては、滞留部で、原水中の溶質または分散物を水に不溶な沈殿に変える工程をさらに行ってもよい。滞留部では、原水中の水に不溶な沈殿を効率よく除去できることに加えて、原水中に不純物として含まれる溶質または分散物を水に不要な沈殿に変えたものも効率よく除去できることが好ましい。
【００１７】
滞留部出口以外で原水の流速を速くするために、滞留部が攪拌手段を有することが好ましく、滞留部出口付近に攪拌手段を設けることがより好ましい。攪拌手段としては特に制限はないが、例えば図１、図２および図４に示したように攪拌手段８がプロペラであることが好ましく、重力によって原水の対流を効率化させる観点から上部に向けて水流を発生させられるプロペラであることがより好ましい。攪拌手段はモーターなどによって駆動して、積極的に攪拌できることが好ましい。
【００１８】
滞留部出口以外で原水の流速を速くするために、滞留部出口以外の幅を滞留部出口よりも狭くすることが好ましい。例えば、水処理装置は、滞留部の半分よりも上部の水平方向の断面積の平均値が、滞留部の半分よりも下部の水平方向の断面積の平均値よりも小さいことが好ましい。滞留部の半分よりも下部の水平方向の断面積の平均値の１．０倍以上であることがより好ましい。滞留部の半分よりも下部の水平方向の断面積の平均値の１．３倍以上であることが特に好ましい。このような滞留部の形状としては特に制限はないが、例えば図１、図２および図４に示したように滞留部１が円錐台（円を底面とした錐台；円錐を底面に平行な平面で切り、小円錐の部分を除いた立体図形）や、円錐（コーン状）であることが好ましい。
滞留部が攪拌手段を有する場合や、滞留部で他の手段によってフロックを大きく成長させられる場合などは、逆に滞留部出口以外の幅を滞留部出口の幅よりも広くしてもよく、滞留部出口以外の幅と滞留部出口の幅は同じであってもよい。すなわち、滞留部は例えば円筒形状であってよい。
【００１９】
滞留部は、滞留部出口で原水の流速を遅くし、滞留部内で充分に原水を滞留させられることが好ましい。滞留部出口で原水の流速を遅くするために、滞留部出口付近に攪拌手段を設けることが好ましい。滞留部出口の幅よりも小さい攪拌手段を設けることがより好ましい。この構成により、滞留部出口の攪拌手段が設置されていない部分に向けての原水の流速を遅くして、フロックに原水中のまだ十分に凝集していない（フロック化していない）懸濁質の吸着を促すことができる。
滞留部出口で原水の流速を遅くするために、滞留部出口の幅を滞留部出口以外の幅よりも広くすることが好ましい。
【００２０】
図１に示したように本発明の水処理装置３の一例は、原水中の溶質または分散物を水に不溶な沈殿に変えて処理水を得るために、滞留部１に凝集剤の添加装置１４が備え付けられていることまたは更に凝集剤の添加槽（不図示）を別途備えることが好ましく、更に添加槽を別途備えることがより好ましい。ただし、滞留部に原水を流入させる前に原水に凝集剤を添加する場合は、滞留部に凝集剤の添加装置が連結されていなくてもよい。
凝集剤の添加装置１４には、凝集剤投入量調節機構が備え付けられていることが好ましい。凝集剤投入量調節機構は、滞留部１に貯留されている原水に含まれる原水中の溶質または分散物の濃度から、凝集剤の投入量を決定するシステムを備えていることが好ましい。
【００２１】
滞留部は、不図示のｐＨ調整剤保持槽を備えていてもよい。ｐＨ調整剤保持槽は、滞留部のｐＨが所望の範囲となるようにｐＨ調整剤を投入する槽である。ｐＨ調整剤保持槽は、滞留部に貯留される原水のｐＨの測定結果からｐＨ調整剤の投入量を決定するシステムを備えることが好ましい。
【００２２】
凝集剤は、滞留部に流入する前の原水に添加されることが好ましいが、場合によっては滞留部に流入した原水に添加されてもよい。滞留部では、原水に対し後述の物理化学的処理が施されてもよい。物理化学的処理に用いられる凝集剤は重金属除去剤であることが好ましく、硫化水素や硫化ナトリウムなどの硫化物、キレート剤または水酸化アルミニウムや水酸化鉄などの共沈剤であることがより好ましい。凝集剤は、硫化物、キレート剤および水酸化アルミニウムの組み合わせであることが特に好ましい。滞留部は、添加された薬剤を均一に分散させる手段を備えていることが好ましく、例えば、撹拌システムを備えていることが好ましい。
【００２３】
滞留部の働きは原水中の水に不要な沈殿を大きく成長させることにある。原水中の水に不要な沈殿を大きく成長させるために小さな水に不要な沈殿や水に不要な沈殿どうしが形成した小さなフロックの間の衝突機会を多くする観点から、図１に示すように水処理装置３を滞留部１と流速調整部２の二重構造とし、滞留部１を内側、流速調整部２を外側に配置して、小さな水に不要な沈殿や小さなフロック等の懸濁物を滞留部に滞留させやすくすることが好ましい。
一方、図４は、本発明の水処理装置の他の一例の断面を示す概略図である。図４に示すように、水に不溶な沈殿（懸濁物）が堆積した層１５が、流速調整部２の底部に加えて、滞留部１の一部の領域に到達していることが、小さな水に不要な沈殿や小さなフロック等の懸濁物を滞留部に滞留させやすくする観点から好ましい。図４に示すように、滞留部で水の滞留を起こさせるプロペラ等の攪拌手段８は、滞留部１中の水に不溶な沈殿（懸濁物）が堆積した層１５内にあってもよい。
原水中の溶質または分散物を水に不溶な沈殿に変えるために用いる凝集剤の添加量を減らすことが、薬品費と廃棄物処分費を抑制する観点から好ましい。水処理装置は、滞留部に懸濁物を循環させる手段を備えることが、凝集剤の添加量を減らす観点から好ましい。滞留部に懸濁物を循環させる手段としては、小さな水に不要な沈殿や小さなフロック等の懸濁物を滞留部に滞留させやすくする場合と同様に、図１に示すように水処理装置３を滞留部１と流速調整部２の二重構造とし、滞留部１を内側、流速調整部２を外側に配置することが好ましい。滞留部に流入した原水に凝集剤を添加する場合は、この構成とすることで、滞留部流速調整部の底部に貯留された沈殿（沈殿を含む汚泥）に処理水が接触した後に、浄化水を処理排水とする構造をもつ（汚泥）循環型として凝集剤を含む沈殿を再利用できる。また、滞留部に懸濁物を循環させる利点を、例えば凝集剤として水酸化アルミニウムおよびキレート剤を用いて、カドミウムを含む原水を浄化する場合を例に挙げて説明する。内側の滞留部１に水酸化アルミニウムを滞留させて、キレート化して不溶化したカドミウムと水酸化アルミニウムとを繰り返し共沈させることが好ましい。この構成により、水酸化アルミニウムのもとになるＰＡＣ（ポリ塩化アルミニウム）や硫酸バンド（硫酸アルミニウム）の必要量を減らすことができ、かつ、排出される沈殿の量を水酸化アルミニウムの分だけ抑制することができる。
なお、凝集剤は添加量を増やすことで流速調整部での原水中の溶質または分散物を沈殿として除去する量を増やすことが可能となるが、汚泥発生量も比例して増える。そのため、本発明の水処理装置を生物処理槽と組み合わせて運用するなど、生物処理での除去可能量とのバランスを考慮して凝集剤を最適な添加量に調整することが好ましい。
原水に添加するＰＡＣ（ポリ塩化アルミニウム）や硫酸バンド（硫酸アルミニウム）の量はＡｌ2Ｏ3換算で５０ｍｇ／Ｌ以下であることが好ましく、３０ｍｇ／Ｌ以下であることがより好ましく、２５ｍｇ／Ｌ以下であることが特に好ましい。一方、ＳＳ濃度、ＢＯＤ、濁度などの各種の水質の指標を十分に改善する観点からは、原水に添加するＰＡＣ（ポリ塩化アルミニウム）や硫酸バンド（硫酸アルミニウム）の量はＡｌ2Ｏ3換算で１ｍｇ／Ｌ以上であることが好ましく、１０ｍｇ／Ｌ以上であることがより好ましく、１５ｍｇ／Ｌ以上であることが特に好ましい。
【００２４】
（流速調整部）
流速調整部では、処理水から沈殿を分離して浄化水を得る。流速調整部の内部では、沈殿の成長および沈殿の回収のために、流速調整部の入口を通過する処理水の流速が、流速調整部の出口を通過する浄化水の流速よりも２．４倍以上速い。すなわち、流速調整部の入口を通過する処理水の流速を、流速調整部の出口では遅く変化させる必要がある。
例えば、流速調整部の入口を通過する処理水の流速が、流速調整部の出口を通過する浄化水の流速の２．５倍以上であることが好ましく、３．０倍以上であることがより好ましい。
なお、流速調整部の入口を通過する処理水の流速を、流速調整部の出口を通過する浄化水の流速に対して速くし過ぎる必要はない。処理水量を多くする観点からは、流速調整部の入口を通過する処理水の流速を、流速調整部の出口を通過する浄化水の流速２０倍以下とすることが好ましく、１０倍以下とすることがより好ましく、５倍以下とすることが特に好ましい。
【００２５】
図２に示した本発明の水処理装置の一例では、流速調整部の入口６は、滞留部１の最下部と流速調整部２の底面の間、および、滞留部１の最下部の側壁とそれに水平な流速調整部２の側壁の間となる。図２に示した本発明の水処理装置の一例では、流速調整部の出口７は、流速調整部２の最上部の側壁とそれに水平な滞留部１の側壁との間となる。
流速調整部の入口を通過する処理水の流速が、流速調整部の出口を通過する浄化水の流速よりも速い装置とする方法として、流速調整部の入口６の流路断面積を小さくしたり、幅を狭くしたりする方法がある。流速調整部の入口を通過する処理水の流速が、流速調整部の出口を通過する浄化水の流速よりも速い装置とする方法として、流速調整部の出口７の流路断面積を大きくしたり、幅を広くしたりする方法もある。流速調整部の入口６の流路断面積を小さくしたり、幅を狭くしたりする方法と、流速調整部の出口７の流路断面積を大きくしたり、幅を広くしたりする方法とを組み合わせることが好ましい。
すなわち、流速調整部の入口を通過する処理水の流速が、流速調整部の出口を通過する浄化水の流速よりも速い装置とするために、本発明の水処理装置は、流速調整部の入口の流路断面積が、流速調整部の出口の流路断面積よりも小さいことが好ましい。具体的には、本発明の水処理装置は、流速調整部の入口の流路断面積が、流速調整部の出口の流路断面積の８０％以下であることがより好ましく、５０％以下であることが特に好ましい。
本発明の水処理装置は、流速調整部の入口の流路の幅が５０〜１００００ｍｍであることが好ましく、１００〜１０００ｍｍであることがより好ましく、２００〜５００ｍｍであることが特に好ましい。
本発明の水処理装置は、流速調整部の入口から出口までの高さが２ｍ以上であることが好ましく、３ｍ以上であることがより好ましい。この構成により、流速調整部の入口を通過する処理水の流速が、流速調整部の出口を通過する浄化水の流速よりも速い装置としやすい。流速調整部の入口６の流路の最小幅は、滞留部と、滞留部と接触しない流速調整部の側壁との距離であることが好ましい。図２では、流速調整部の入口６の流路の最小幅Ｌは、滞留部１の最下部と流速調整部２の底面の間の距離に相当する。図２には示していないが、流速調整部の入口の流路の最小幅は、滞留部１の最下部の側壁とそれに水平な流速調整部２の側壁の間の距離であることもある。図２では、流速調整部の入口および出口はそれぞれ流速調整部の最下部と最上部に設けられているため、流速調整部の出口は流速調整部の入口から出口までの高さＨは、流速調整部の高さに相当する。
【００２６】
本発明の水処理装置は、流速調整部の流路断面積が、流速調整部の入口から出口に近づくにつれて大きくなることが好ましい。このような構成とすることで、流速調整部の入口を通過する処理水の流速を、流速調整部の出口に向けて徐々に遅くして流速調整部の内部における処理水の水面上昇速度を徐々に遅くすることできる。その結果、沈降速度が大きくなるまでフロックを成長させてから沈殿として沈降させることができ、好ましい。
【００２７】
水処理装置は、滞留部と接触しない流速調整部の側壁の水平方向の断面積が、流速調整部の入口から出口まで同じ大きさであることが水処理装置の設置コストの観点から好ましい。図１および図２には、滞留部１と接触しない流速調整部２の側壁（円筒の筒外部）の水平方向の断面積が、流速調整部の入口６から流速調整部の出口７まで同じ大きさである水処理装置３を示した。
一方、水処理装置は、設置コストに問題が無い場合は、滞留部と接触しない流速調整部の側壁の水平方向の断面積が、流速調整部の入口から出口に向けて大きくなっていてもよい（逆向きの円錐台の形状）。このように流速調整部の側壁を逆向きの円錐台の形状とすることで、流速調整部の入口を通過する処理水の流速を、流速調整部の出口に向けて徐々に遅くして流速調整部の内部における処理水の水面上昇速度を徐々に遅くすることができる。特に滞留部の形状を円筒形状とする必要がある場合は、滞留部と接触しない流速調整部の側壁の水平方向の断面積が流速調整部の入口から出口に向けて大きくした流速調整部と組み合わせることで、本発明の水処理装置とすることができる。
なお、流速調整部の寸法の高さは懸濁物量の管理から２ｍ以上とすることが好ましく、３ｍ以上がより好ましい。
【００２８】
流速調整部の出口は流速調整部の入口とは別に配置されている。
流速調整部の出口は流速調整部の入口よりも上に配置されることが重力を利用して沈殿の沈降をさせやすくする観点から好ましい。流速調整部の出口が流速調整部の入口よりも上に配置される場合、流速調整部の出口は流速調整部の最上部に配置されることが浄化水を上澄み液として得られ、浄化水からより沈殿を分離できる観点から好ましい。
流速調整部の出口が流速調整部の入口よりも上ではない場合、流速調整部の少なくとも一部を流速調整部の入口よりも上にして、その下流で流速調整部の出口に浄化水を導くことが好ましい。あるいは、重力以外の力（例えば、電場、磁場などに起因する力）を用いて流速調整部の出口の浄化水の流速よりも沈殿の移動速度を遅くして沈殿を分離してもよい。本明細書中では重力を利用して沈殿の沈降により分離する方法を主に説明するが、本発明はこの態様に限定されるものではない。
【００２９】
水処理装置は、流速調整部を沈降する沈殿の沈降速度が、流速調整部の出口を通過する浄化水の流速よりも速いことが好ましい。流速調整部を沈降する沈殿の沈降速度が、流速調整部の出口を通過する浄化水の流速の１．０倍以上であることが好ましく、１．３倍以上であることがより好ましい。流速調整部を沈降する沈殿の寸法は、特に制限されることはないが、平均円相当直径で１００〜１００００μｍであることが好ましく、１０００〜５０００μｍであることがより好ましい。流速調整部を沈降する沈殿の寸法は、顕微鏡で観察した１０個の水に不溶な沈殿の寸法の平均値を採用することができる。
【００３０】
流速調整部は、沈殿の除去手段を備える。沈殿の除去手段としては、特に制限は無い。例えば、図１に示すように流速調整部の下部に任意の配管を備えることで、凝集させた沈殿を自動的に水流で除去することができる。流速調整部は、沈殿の除去手段として、流速調整部の底部に任意の配管を備えることが好ましく、流速調整部の底部の中央近傍の領域のみに任意の配管を備えることがより好ましい。流速調整部は、流速調整部の底部に貯留された沈殿（沈殿を含む汚泥）に処理水が接触した後に、浄化水を処理排水とする構造をもつ（汚泥）循環型であることが特に好ましい。このような構造の流速調整部とすることで、沈殿（沈殿を含む汚泥）を循環させてフロックを大きくするために再利用することができる。その結果、凝集剤添加量を抑制することができる。また、沈殿（沈殿を含む汚泥）発生量を抑制することができる。沈殿の除去手段には任意の弁が設けられ、所望のタイミングで流速調整部の底部に貯留された沈殿（沈殿を含む汚泥）を除去できることが好ましい。
図４に示すように、流速調整部２の底部に、水に不溶な沈殿（懸濁物）が堆積した層１５が形成されていてもよい。水に不溶な沈殿（懸濁物）が堆積した層１５として、流速調整部２の底部に一定量の懸濁物を貯めておくことでフィルタの効果も担うことができ、流速調整部の出口を通過する浄化水に含まれる水に不溶な沈殿の量を減らすことができる。水に不溶な沈殿（懸濁物）が堆積した層を形成する方法としては特に制限はないが、例えば上述のとおり沈殿の除去手段に任意に開閉できる弁を設ける方法を挙げることができる。
流速調整部の底部の形状は特に限定されない。図１に示すように流速調整部の底部は平面（この場合、ほぼ水平な平面であることが好ましい）であってもよいし、図４に示すように流速調整部の底部は平面以外の円錐や角錐であってもよい。
【００３１】
本発明の水処理装置は、流速調整部が、流速調整部の入口とは別に配置された流速調整部の出口として浄化水の排出手段を備える。浄化水の排出手段としては、特に制限は無い。例えば、図１に示すように流速調整部の最上部を開放させることで、浄化水を自動的に水流で排出することができる。図面には示していないが、流速調整部の最上部に、さらに別の浄化水の排出手段を接続することが、浄化水の排出方向を特定方向にして浄化水を集めやすくする観点から好ましい。
【００３２】
＜その他の槽との組み合わせ＞
本発明の水処理装置は沈殿の除去と浄化水の排出を一つの装置内で実現できるために単独で使用することができる。ただし、本発明の水処理装置とその他の槽と組み合わせて設置して、さらなる浄化水の浄化をしてもよい。
図３は、本発明の水処理装置とその他の槽との組み合わせの一例を示すフロー図である。本発明の水処理装置３は、図３（Ａ）に示すように生物処理槽２０およびその後の凝集沈殿槽２１の上流側に設けられてもよいし、図３（Ｂ）に示すように生物処理槽２０およびその後の凝集沈殿槽２１の下流側に設けられてもよい。また、不図示であるが、生物処理槽２０、本発明の水処理装置３、凝集沈殿槽２１の順に組み合わせてもよい。本発明の水処理装置３は不純物の除去能力が高く、「生物処理」の微生物を維持するために必要な成分の一部も除去することができる。そのため、図３（Ａ）に示すように生物処理槽２０およびその後の凝集沈殿槽２１の上流側に設けると生物処理槽の機能が十分に発揮されず、本発明の水処理装置と組み合わせてもさらなる浄化水の浄化に寄与しないこともある。そのため、本発明の水処理装置３は図３（Ｂ）に示すように生物処理槽２０およびその後の凝集沈殿槽２１の下流側に設けられることが、本発明の水処理装置と生物処理槽を組み合わせてさらなる浄化水の浄化をする観点から好ましい。ただし、後述の実施例１のように高濃度のＳＳが活性汚泥で処理する際の障害となるなど活性汚泥で処理する前にＳＳ濃度を下げるための前処理が必要となる場合は、本発明の水処理装置３が図３（Ａ）に示すように生物処理槽２０およびその後の凝集沈殿槽２１の上流側に設けられることも好ましい。
【００３３】
本発明の水処理装置とその他の槽は配管で連結されていることが好ましく、配管には、流量調節機構が備え付けられていることが好ましい。配管の材質は特に限定されるものではないが、ステンレス鋼材を用いることが好ましい。ステンレス鋼材の中でも、ＳＵＳ３０４やＳＵＳ３１６などのオーステナイト系ステンレスが特に好ましく用いられる。また、フェライト系ステンレス、オーステナイト系とフェライト系を二相組織とした二相ステンレスを用いてもよい。
【００３４】
（生物処理槽）
生物処理槽２０は、活性汚泥処理槽であることが好ましく、生物処理膜を付着させる担体を備えた槽であってもよい。この場合、担体は、ハニカムチューブでも、スポンジでも、樹脂造作物でもよい。
【００３５】
生物処理槽２０は、重金属含有汚泥除去装置を有することが好ましく、重金属含有汚泥除去装置を用いて重金属含有汚泥が排出されることが好ましい。また、生物処理から排出される余剰汚泥を利用して重金属含有汚泥の全部ないし一部を排泥しても良い。
【００３６】
生物処理槽２０から排出される処理水は、河川や海洋等に排出されてもよい。このため、生物処理槽２０には外部に排出用の配管が備えられていることが好ましい。また、生物処理槽２０には、カドミウム等の重金属の濃度や、処理水のｐＨを測定するシステムが備えられていてもよい。
【００３７】
生物処理槽における生物処理工程としては、特に制限は無い。例えば特開２０１３−１３８９７７号公報の［００２１］〜［００２４］に記載の生物処理工程を本発明の水処理装置および水処理方法に組み合わせて行うことができる。
【００３８】
（凝集沈殿槽）
本発明の水処理装置は沈殿の除去と浄化水の排出を一つの装置内で実現できるが、さらに別途の凝集沈殿槽を設けてもよい。
凝集沈殿槽２１は、生成した沈殿を凝集沈殿させる手段を備えている。そのため、本発明の水処理装置３の下流側であって、生物処理槽２０の上流側または下流側に連結されていることが好ましい。
【００３９】
凝集沈殿槽２１は、凝集させた沈殿を含む汚泥を除去する手段を有することが好ましく、汚泥除去手段を用いて汚泥が排出されることが好ましい。
凝集沈殿槽２１は、底部に、貯留された汚泥に原水が接触した後に、上澄水を処理排水とする構造をもつ汚泥循環型沈殿槽であることが好ましい。このような沈殿槽では、汚泥を返送汚泥２３として循環させ再利用することができ、凝集剤添加量を抑制することができる。また、余剰汚泥２２の発生量を抑制することができる。
【００４０】
凝集沈殿槽２１に代えて、加圧浮上処理槽を有していてもよく、凝集沈殿槽２１と加圧浮上処理槽の両方を有していてもよい。加圧浮上処理槽は、沈殿を加圧浮上させる手段を備えており、本発明の水処理装置３の下流側であって、生物処理槽２０の上流側または下流側に連結されていることが好ましい。なお、本発明の水処理装置３を、凝集沈殿槽２１と加圧浮上処理槽の両方と組み合わせて用いる場合は、加圧浮上処理装置は、凝集沈殿槽２１の下流側に連結されていることが好ましい。
【００４１】
［水処理方法］
本発明の水処理方法は、滞留部で原水中の水に不溶な沈殿を大きく成長させ処理水を得る工程と、
滞留部の下流に接続された流速調整部で処理水から沈殿を分離して浄化水および沈殿を得る工程と、を含む水処理方法であって、
流速調整部で沈殿を除去し、
流速調整部の入口とは別に配置された流速調整部の出口から浄化水を排出し、
流速調整部の入口を通過する処理水の流速を、流速調整部の出口を通過する浄化水の流速よりも速くする水処理方法である。
このような構成の水処理方法により、沈殿の除去と浄化水の排出を一つの装置内で実現でき、かつ、原水中の水に不溶な沈殿を効率よく除去することができる。
本発明の水処理方法は、本発明の水処理装置を用いて行うことが好ましい。
以下、本発明の水処理方法の好ましい態様について説明する。
【００４２】
＜処理水を得る工程、物理化学的処理工程＞
本発明の水処理方法は、滞留部で原水中の水に不溶な沈殿を大きく成長させ処理水を得る工程を含む。
凝集剤は、滞留部に流入する前の原水に添加されることが好ましいが、場合によっては滞留部に流入した原水に添加されてもよい。すなわち、本発明の水処理方法は、原水に凝集剤を投入するタイミングによっては、滞留部で原水中の溶質または分散物を水に不溶な沈殿に変えて処理水を得る工程をさらに含んでいてもよい。これらの原水中の溶質または分散物を水に不溶な沈殿に変える工程は、物理化学的処理工程とも言われる。物理化学的処理工程は、滞留部で処理水を得る工程の前に行われてもよく、滞留部で処理水を得る工程と同時に滞留部で行われてもよい。本発明では、原水を物理化学的に処理して、原水中の溶質または分散物などの不純物成分を水に不溶な沈殿に変えて除去することが好ましい。
原水としては、例えば上水道に用いられる上水を挙げることができる。原水としては、排水、廃水、汚水なども用いることができる。
一方、本発明の水処理方法では、原水中の水に不溶な沈殿や、水に不溶な沈殿に変えて取り除く原水中の溶質または分散物としては特に制限は無く、例えば重金属やパルプなどの繊維質、土砂やカオリンなどの無機質粒子を挙げることができる。
本発明の水処理装置および水処理方法は、原水が重金属含有水またはパルプ含有水であることが好ましい。
重金属含有水である原水としては、例えば水産加工排水が挙げられる。水産加工排水は、水産加工事業所から排出される排水であり、主に、魚類、貝類及び魚卵由来の有機物や重金属を含む排水である。特に、ホタテの中腸腺やイカの肝臓、カニの内臓にはカドミウムが含まれることから、これら軟体動物や甲殻動物を加工する水産加工事業所からはカドミウムを含む排水が排出される。水産加工排水以外の重金属含有水としては、例えば、非鉄金属業やメッキ工場、半導体工場等より排出される重金属含有排水が挙げられる。
一方、パルプ含有水である原水としては、例えば木材や古紙からのパルプ製造工場や抄紙工場から排出される排水が挙げられる。
【００４３】
本発明において処理し得る原水の量は特に制限されないが、本発明では、多量の原水を処理することが可能である。具体的には、一日当たり５００ｍ3以上の原水を処理することも可能である。本発明は多量の原水を効率よく処理できる。
原水は１カ所に集められた後に図１に示した原水の流入手段４から滞留部１に送液されてもよく、滞留部１に直接送液されてもよい。
【００４４】
物理化学的処理工程は、原水が重金属を含み、原水に凝集剤として重金属除去剤を添加して重金属を含む沈殿を生成する工程であることが好ましい。その他、物理化学的処理工程は、原水がパルプを含み、凝集剤としてカチオン添加剤を添加してパルプを含む沈殿を生成する工程であってもよい。また、パルプが直接沈殿に影響しないものの、滞留部出口にパルプ成分の層を形成し、このパルプがフィルタとなって処理水中の懸濁物を補足する工程であってもよい。
以下、原水として重金属含有水を用いる場合を例に挙げて本発明の水処理方法のより好ましい態様を説明するが、本発明の水処理方法は原水として重金属含有水を用いる場合に限定されるものではない。
【００４５】
重金属含有水に含まれる重金属としては、銅（Ｃｕ）、亜鉛（Ｚｎ）、錫（Ｓｎ）、ニッケル（Ｎｉ）、鉛（Ｐｂ）、カドミウム（Ｃｄ）等が挙げられる。イタイイタイ病の原因物質であるカドミウムのように、金属工業、非鉄金属第１次製錬・精製業、非鉄金属第２次製錬・精製業、溶融めっき業、水産食料品製造業の排水に含まれる重金属成分は、人の健康に影響を及ぼす可能性がある。このため、国連機関や日本国を含む各国で重金属に関する環境基準や排出基準が定められている。カドミウムは、国連機関による耐容摂取量の設定を受け、水質汚濁防止法の排水基準が０．０３ｍｇ／Ｌ以下に強化された（環境省「水質汚濁防止法に基づく排出水の排出、地下浸透水の浸透等の規制に係る項目の許容限度等の見直しについて（報告案）」参照）。
本発明の水処理方法や水処理装置は、原水に含まれる水に不溶な沈殿、溶質または分散物がカドミウムまたはカドミウムイオンである場合に特に好ましく用いることができる。特に本発明の水処理方法や水処理装置によれば、カドミウム含有量が０．０３ｍｇ／Ｌ以下の浄化水を生成することができる。そのため、本発明の水処理方法は、排水中のカドミウム濃度を上記基準値以下とし得る画期的方法であり、水産加工事業所から排出されるカドミウムを含む排水を処理するために特に好ましく用いられる。
【００４６】
水処理方法は、原水中の溶質または分散物を水に不溶な沈殿に変える工程（物理化学処理工程）が、原水に凝集剤として硫化ナトリウムまたは硫化水素などの硫化物を添加して硫化物である沈殿を生成して処理液を得る工程であることが好ましい。
水処理方法は、原水中の溶質または分散物を水に不溶な沈殿に変える工程（物理化学処理工程）が、原水に凝集剤としてキレート剤を添加する工程であることが好ましい。
水処理方法は、原水に凝集剤として共沈剤を添加して共沈処理を行うことが好ましい。
物理化学的処理工程において、硫化ナトリウムまたは硫化水素などの硫化物を用いる場合には、原水中の重金属１モルに対して、硫化ナトリウムまたは硫化水素などの硫化物を、０．０１モル以上１００モル未満となるように添加することが好ましい。硫化ナトリウムもしくは硫化水素などの硫化物の添加量は、硫化物イオン換算で上記範囲であることが好ましい。硫化ナトリウムもしくは硫化水素などの硫化物の添加量は、重金属１モルに対して、０．１〜２０モルであることがより好ましく、０．５〜１０モルであることがさらに好ましい。硫化物の添加量を上記範囲内とすることにより、原水中に含まれる重金属を効率よく硫化することができる。キレート剤を用いる場合には、キレート剤の濃度に応じて硫化物換算量を参考にしてキレート剤を添加することが望ましい。
【００４７】
物理化学的処理工程は、原水中に含まれる原水中の溶質または分散物の量を測定して、その量から好ましい量の凝集剤の添加量を決定する工程を含んでいてもよい。具体的には、酸化還元電位から原水中の重金属の濃度を測定し、重金属の濃度に対して所望の濃度となるように物理化学的処理で添加する凝集剤の量を決定することが好ましい。例えば、重金属１モルあたり硫化物イオンが上述した値の範囲内となることが好ましい。
【００４８】
処理水を得る工程または物理化学的処理工程では、凝集剤を添加した原水を撹拌することが好ましい。撹拌条件は、急速攪拌が好ましく、処理水を得る工程で滞留部に滞留する原水の平均撹拌時間は５〜３０分であることが好ましい。
処理水を得る工程または物理化学的処理工程で処理される原水の水温は、０〜８０℃であることが好ましく、５〜６０℃であることがより好ましい。
【００４９】
処理水を得る工程では、滞留部で原水中の水に不溶な沈殿を大きく成長させ処理水を得る。ここで、処理水には、水に不溶な沈殿が含まれていてもよい。なお、後述する流速調整部でも水に不溶な沈殿は完全に除去されずに、一定量が浄化水に残存していてもよい。
【００５０】
処理水を得る工程または物理化学的処理工程で処理される原水のｐＨは、５〜１２であることが好ましく、６〜１０であることがより好ましく、６．５〜８．５であることがさらに好ましい。原水のｐＨを上記範囲内とすることにより処理水を得る工程または物理化学処理工程で凝集剤として硫化物を用いた場合の硫化水素ガスの発生を抑制することができる。原水は調整されなくとも上記ｐＨの範囲内である場合もあるが、ｐＨの調整工程を設けることにより調整されてもよい。このような調整工程を設ける場合は、ｐＨ調整工程は、物理化学的処理工程の前に設けられることが好ましい。ｐＨ調整工程では、ｐＨ調整剤を添加して原水のｐＨを調整することが好ましい。ｐＨ調整剤としては、例えば、水酸化ナトリウムや水酸化カルシウム等が挙げられる。
【００５１】
＜処理水から沈殿を分離して浄化水および沈殿を得る工程＞
本発明の水処理方法は、滞留部の下流に接続された流速調整部で処理水から沈殿を分離して浄化水および沈殿を得る工程を含む。処理水から沈殿を分離して浄化水および沈殿を得る工程は、流速調整部で沈殿を除去する。処理水から沈殿を分離して浄化水および沈殿を得る工程は、流速調整部の入口とは別に配置された流速調整部の出口から浄化水を排出する。処理水から沈殿を分離して浄化水および沈殿を得る工程は、流速調整部の入口を通過する処理水の流速を、流速調整部の出口を通過する浄化水の流速よりも速くする。
処理水から沈殿を分離して浄化水および沈殿を得る工程は、本発明の水処理装置を用いて行うことが好ましい。なお、処理水から沈殿を分離して浄化水および沈殿を得る工程は、本発明の水処理装置を用いずに行ってもよい。
【００５２】
処理水から沈殿を分離して浄化水および沈殿を得る工程では、処理水を撹拌する必要は特にない。
本発明の水処理装置の流速調整部の出口が流速調整部の入口よりも上ではない場合、重力以外の力（例えば、電場、磁場などに起因する力）を印加する工程を設けてもよい。
処理水から沈殿を分離して浄化水および沈殿を得る工程における処理水の水温は、０〜８０℃であることが好ましく、５〜６０℃であることがより好ましい。
【実施例】
【００５３】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。
【００５４】
［実施例１、比較例１、参考例１］
＜紙パルプ工場の脱墨古紙パルプ製造工程の排水（以下、ＤＩＰ排水）に適用＞
ＤＩＰ排水に含まれる古紙由来の澱粉等を汚濁源とするＢＯＤは活性汚泥を用いた生物処理槽（曝気槽）などで容易に処理できるが、同じく古紙に由来する炭酸カルシウムなどの無機質粒子や微細なパルプを汚濁源とする高濃度のＳＳが活性汚泥で処理する際の障害となる。そのため、ＤＩＰ排水を活性汚泥で処理する前にＳＳ濃度をおよそ１００ｍｇ／Ｌ以下とする前処理が必要となる。
実施例１、比較例１、参考例１では、ＤＩＰ排水を活性汚泥で処理する前にＳＳ濃度をおよそ１００ｍｇ／Ｌ以下とする前処理について検討を行った。
【００５５】
（実施例１）
ＳＳ濃度１１００ｍｇ／Ｌ、ＢＯＤ濃度４５０ｍｇ／ＬのＤＩＰ排水に対し、ｐＨ６．５〜８．５の範囲内になるように調整しながら、硫酸バンドを２０ｍｇ／Ｌ（Ａｌ2Ｏ3換算）添加したのち、０．５ｍｇ／Ｌのアニオン性高分子凝集剤を添加して、原水中に水に不溶な沈殿を増加させた。
得られた原水を、図１の構成において流速調整部の底部を図４の構成とした本発明の水処理装置に導入した。詳しくは、実施例１で用いた本発明の水処理装置は、滞留部の半分よりも上部の水平方向の断面積の平均値が滞留部の半分よりも下部の水平方向の断面積の平均値の１．０倍以上の円錐台であり、滞留部出口付近に上部に向けて水流を発生させられるプロペラがモーターで駆動されており、滞留部で原水中の水に不溶な沈殿を大きく成長させた。滞留部に流入する前の原水中に含まれる水に不要な沈殿は１個ずつの寸法が円相当直径で１〜１０００μｍ、平均円相当直径で１〜１００μｍであったが、滞留部で大きく成長させた水に不溶な沈殿の寸法は平均円相当直径で１０００〜５０００μｍとなった。滞留部で処理された処理水は滞留部の下流に接続された流速調整部に連続的に移動した。
実施例１で用いた本発明の水処理装置は、流速調整部の入口の流路断面積を流速調整部の出口の流路断面積の３０％、流速調整部の入口の流路の幅を２００〜５００ｍｍ、流速調整部の入口から出口までの高さを３ｍ以上とし、流速調整部の出口は流速調整部の入口よりも上に配置した。流速調製部で、滞留部で処理された処理水から沈殿を分離して沈殿を除去し、前記流速調整部の出口から浄化水を排出した。流速調整部の入口を通過する処理水の流速の流速は６．６ｍ／ｈ、流速調整部の出口を通過する浄化水の流速の流速は２．０ｍ／ｈとなっており、流速調整部の入口を通過する処理水の流速は流速調整部の出口を通過する浄化水の流速よりも３．３倍速かった。流速調整部を沈降する沈殿の沈降速度は、流速調整部の出口を通過する浄化水の流速の１．３倍以上であった。流速調整部を沈降する沈殿の寸法は、平均円相当直径で１０００〜５０００μｍであった。
本発明の水処理装置で処理した浄化水のＳＳ濃度は８４ｍｇ／Ｌであった。この浄化水のＢＯＤ濃度は４３０ｍｇ／Ｌであった。
【００５６】
（比較例１）
実施例１で用いた本発明の水処理装置の流速調整部の入口の流路断面積を流速調整部の出口の流路断面積の８５％として、比較例１の水処理装置を作製した。
比較例１の水処理方法として、比較例１の水処理装置を用いたこと以外は実施例１と同様にＤＩＰ排水を処理した。
比較例１の水処理装置では、流速調整部の入口を通過する処理水の流速の流速は２．３／ｈ、流速調整部の出口を通過する浄化水の流速の流速は２．０ｍ／ｈとなっており、流速調整部の入口を通過する処理水の流速は流速調整部の出口を通過する浄化水の流速よりも１．１５倍速かった。
比較例１の水処理装置を用いて行った比較例１の水処理方法では、得られた浄化水のＳＳ濃度は３３０ｍｇ／Ｌであった。
【００５７】
（参考例１）
参考例１の水処理方法として、比較例１において原水に添加する硫酸バンドの添加量を２０ｍｇ／Ｌ（Ａｌ2Ｏ3換算）から６０ｍｇ／Ｌ（Ａｌ2Ｏ3換算）に変更したこと以外は比較例１と同様にＤＩＰ排水を処理した。
比較例１の水処理装置を用いて行った参考例１の水処理方法で得られた浄化水のＳＳ濃度は９２ｍｇ／Ｌ、ＢＯＤ濃度は３２０ｍｇ／Ｌとなった。
参考例１の水処理方法では、実施例１と同程度までＳＳ濃度を低減させるために硫酸バンドを多く消費してしまった上、活性汚泥で処理すべきＢＯＤを薬品で削減する形になってしまった。参考例１および実施例１より、本発明の水処理装置を用いることで、ＳＳ濃度を低減させるために消費する硫酸バンドの使用量を抑えることができることがわかった。
【００５８】
［実施例２および比較例２］
＜活性汚泥処理水の濁度改善に適用＞
濁度は目視で容易に優劣の判断ができるため、活性汚泥処理水のＢＯＤやＣＯＤは法規制値を満たしているにも関わらず、濁度対策で活性汚泥処理水を後処理することがある。
実施例２、比較例２では、ＤＩＰ排水を活性汚泥で処理した活性汚泥処理水の後処理について検討を行った。
【００５９】
（実施例２）
濁度４０度の活性汚泥処理水に対し、ｐＨ６．５〜８．５の範囲内になるように調整しながら、硫酸バンドを３０ｍｇ／Ｌ（Ａｌ2Ｏ3換算）添加したのち、０．４５ｍｇ／Ｌのアニオン性高分子凝集剤を添加して、原水中に水に不溶な沈殿を増加させた。
得られた原水を、流速調整部の入口の流路断面積が流速調整部の出口の流路断面積の３０％である実施例１で用いた本発明の水処理装置を用いて処理した。実施例２の水処理方法では、流速調整部の入口を通過する処理水の流速の流速は５．０ｍ／ｈ、流速調整部の出口を通過する浄化水の流速の流速は１．５ｍ／ｈとなっており、流速調整部の入口を通過する処理水の流速は流速調整部の出口を通過する浄化水の流速よりも３．３倍速かった。
得られた浄化水の濁度は１３度となった。
【００６０】
（比較例２）
流速調整部の入口の流路断面積が流速調整部の出口の流路断面積の８５％である比較例１の水処理装置を用いたこと以外は実施例２と同様にして、ＤＩＰ排水を活性汚泥で処理した活性汚泥処理水を処理した。比較例２の水処理方法では、流速調整部の入口を通過する処理水の流速の流速は３．５ｍ／ｈ、流速調整部の出口を通過する浄化水の流速の流速は１．５ｍ／ｈとなっており、流速調整部の入口を通過する処理水の流速は流速調整部の出口を通過する浄化水の流速よりも２．３倍速かった。
得られた浄化の濁度は２８度に留まった。
【００６１】
以上の各実施例および比較例から、本発明の水処理装置を用いた水処理方法により、沈殿の除去と浄化水の排出を一つの装置内で実現でき、かつ、原水中の水に不溶な沈殿を効率よく除去することができることがわかった。
【符号の説明】
【００６２】
１      滞留部
２      流速調整部
３      水処理装置
４      原水の流入手段
５      沈殿の除去手段
６      流速調整部の入口
７      浄化水の排出手段、すなわち流速調整部の出口
８      攪拌手段
１１    原水
１２    処理水
１３    浄化水
１４    凝集剤の添加装置
１５    水に不溶な沈殿（懸濁物）が堆積した層
２０    生物処理槽
２１    凝集沈殿槽
２２    余剰汚泥
２３    返送汚泥
Ｌ      流速調整部の入口の流路の最小幅
Ｈ      流速調整部の入口から出口までの高さ
【図１】
0006492981.tif 000002
【図２】
0006492981.tif 000003
【図３】
0006492981.tif 000004
【図４】
0006492981.tif 000005